Podtech/llm-jp-corpus-v4-ja_patent huggingface dataset:
(57)【要約】【目的】発光時外部からＬＥＤが粒粒状に見えないようにしたＬＥＤ蛍光灯を提供する。【構成】基板上にＬＥＤを間隔付けて一列に多数配設し、これを複数列列設したＬＥＤ蛍光灯において、対向する列の蛍光灯を、一方のＬＥＤが他方のＬＥＤの間に位置するように互い違いに配設し、これを不透明な管体に内装することによって、ＬＥＤが粒粒状に見えないようにした。【選択図】図２
0003153538.tif 000002
【実用新案登録請求の範囲】
【請求項１】
基板上にＬＥＤを間隔付けて一列に多数配設し、これを複数列列設したＬＥＤ蛍光灯において、対向する列の蛍光灯を、一方のＬＥＤが他方のＬＥＤの間に位置するように互い違いに配設し、これを不透明な管体に内装したことを特徴とするＬＥＤ蛍光灯。
【請求項２】
前記ＬＥＤが高輝度ＬＥＤであり、前記ＬＥＤ蛍光灯が蛍光灯互換タイプのＬＥＤ蛍光灯である請求項１記載のＬＥＤ蛍光灯。
【請求項３】
前記不透明な管体が、合成樹脂製の管体である請求項１又は２記載のＬＥＤ蛍光灯。。
【考案の詳細な説明】
【技術分野】
【０００１】
本考案は、ＬＥＤ蛍光灯が、発光時その特質である粒粒状に見えず、普通の蛍光灯のように見えるようにしたＬＥＤ蛍光灯に関する。
【背景技術】
【０００２】
発光ダイオード（ＬＥＤ）を内装したＬＥＤ蛍光灯は、消費電力が少なく、耐久性に優れ、しかも白色光を発光させる高輝度ＬＥＤが開発されたことから、最近広く使用されるようになっている。
この従来のＬＥＤ蛍光灯は、複数列に配設した場合は、図１に示すように、一方の列のＬＥＤ１と他方の列のＬＥＤ１´とが対向するように形成されていた。
【考案の開示】
【考案が解決しようとする課題】
【０００３】
上記従来のＬＥＤ蛍光灯は、発光時ＬＥＤ１，１´を内装した不透明な管体３を肉眼で見ると、発光時ＬＥＤが粒粒状に見える問題があった。これはＬＥＤ蛍光灯の特質と見られていたが、これを嫌がる人がいたので、その普及の妨げの一因になっていた。
本考案はこのような問題点を解決するためになされたものであり、発光時外部からＬＥＤが粒粒状に見えないようにしたＬＥＤ蛍光灯を提供することを目的とする。
【課題を解決するための手段】
【０００４】
上記の目的を達成するため、本考案者は鋭意研究の結果、複数列列設したＬＥＤ蛍光灯において、対向する列の蛍光灯を、一方のＬＥＤが他方のＬＥＤの間に位置するように互い違いに配設し、これを不透明な管体に内装した蛍光灯は、発光時ＬＥＤが粒粒状に見えず、通常の蛍光灯のように見えるという驚くべき事実を見出し、本考案に到達した。
即ち本考案は、基板上にＬＥＤを間隔付けて一列に多数配設し、これを複数列列設したＬＥＤ蛍光灯において、対向する列の蛍光灯を、一方のＬＥＤが他方のＬＥＤの間に位置するように互い違いに配設し、これを不透明な管体に内装したことを特徴とする。
前記ＬＥＤが高輝度ＬＥＤであり、前記ＬＥＤ蛍光灯が蛍光灯互換タイプのＬＥＤ蛍光灯であるのが好ましい(請求項２)。不透明な管体としては、合成樹脂の管体を使用するのが衝撃に対する強度が強くなることから好ましい(請求項３)。
【考案の効果】
【０００５】
本考案によれば、複数列列設したＬＥＤ蛍光灯の対向する列のＬＥＤを互い違いに配設するという極めて簡単な構成によって、発光時ＬＥＤが粒粒状に見えないという絶大な効果を奏する。
【図面の簡単な説明】
【０００６】
【図１】従来のＬＥＤ蛍光灯の内部状態を示す一部切欠斜視図である。
【図２】本考案のＬＥＤ蛍光灯の内部状態を示す一部切欠斜視図である。
【考案を実施するための最良の形態】
【０００７】
以下、添付図面に従って、本考案の具体例を更に詳細に説明する：
図１は、本考案の一実施例を示すものであり、基板２上に高輝度ＬＥＤ１を間隔付けて一列に多数固定し、該列に隣接して高輝度ＬＥＤ１´を間隔付けて多数固定し、ＬＥＤ１とＬＥＤ１との間にＬＥＤ１´が位置するように、互い違いに配設されている。
【０００８】
即ち、ＬＥＤ１は、隣接する列のＬＥＤ１´とＬＥＤ１´との間に位置し、ＬＥＤ１´は、隣接する列のＬＥＤ１とＬＥＤ１との間に位置している。
【０００９】
本考案においては、基板上のＬＥＤ１及び１´の配列パターンを上記のように変えるだけでよく、他は従来と同じでよい。
基板２上に固定したＬＥＤ１及び１´は、不透明な管体３に内装されている。上記のようなＬＥＤ１及び１´の配列パターンとし、これを不透明な管体３に内装することにより、発光時全く通常の蛍光灯のような外観を呈するようにすることができる。不透明な管体３としては、合成樹脂の管体を使用することが出来、衝撃に対し強い蛍光灯とすることができる。
【００１０】
上記蛍光灯の両端部には、２本の端子が突設されており、これにより、既存の蛍光灯器のソケットにそのまま取り付けることができる。
本考案に係るＬＥＤ蛍光灯の長さは、蛍光灯管のワット数に応じた規定の長さに規定されるので、蛍光灯管を取り外してそのまま既設の蛍光灯器具に取り付けることができる。
本考案のＬＥＤ蛍光灯を取り付けて電源スイッチを入れると、ＬＥＤ１及び１´に通電され、白色に発光する。この状態で管体３を観察すると、ＬＥＤ１及び１´の点(粒)が観察されず、通常の蛍光灯のように発光することが観察された。
【産業上の利用可能性】
【００１１】
発光時ＬＥＤが粒粒状に見えず、通常のＬＥＤと同じ外観を呈するので、消費電力が低減し、寿命も長い利点があることから、この蛍光灯が広範に普及することが期待される。
【図１】
0003153538.tif 000003
【図２】
0003153538.tif 000004
(57)【要約】      （修正有）【課題】使用中の箸の先端部がテーブルや調理台等の上に汚れず置くことが出来る箸保持具を提供する。【解決手段】箸４において、食物をはさむ先端部３側と手で握る頭部２側との重量比が、先端部３側よりも頭部２側が大きくなる部分まで、穴からはめ込んで使用する箸保持具とする。更に該箸保持具を、伸縮摩耗抵抗耐熱性のあるエラストマー又はゴム系材料から形成することで、箸の断面形状如何にかかわらず使用できる様になる。【選択図】図１
0003153524.tif 000002
【実用新案登録請求の範囲】
【請求項１】
箸（４）において、食物をはさむ先端部（３）側と手で握る頭部（２）側との重量比が、先端部（３）側よりも頭部（２）側が大きくなる部分まで、穴（５）からはめ込んで使用する箸保持具（１）。
【請求項２】
伸縮磨耗抵抗耐熱性のあるエラストマー又はゴム系材料から形成される請求項１に記載の箸保持具（１）。
【請求項３】
外周形状が、四角形から成る請求項１又は２に記載の箸保持具（１）。
【考案の詳細な説明】
【技術分野】
【０００１】  本考案は、使用中の箸の先端部がテーブルや調理台等の上に汚れず置くことが出来る箸保持具に関する。
【背景技術】
【０００２】  従来、箸は箸置きの上に先端部を置くか、食卓テーブルの上に直に置いたり食器に箸自体を乗せて置いていた。又菜箸も同様に、テーブルや調理台等の上に直に置いたり、食器のフチにかけたり、菜箸立てに立てかけて置いていた。【０００３】  一方で、頭部と中程部分を角柱に削りだして転がらないようにした菜箸が提案されている。
【先行技術文献】
【特許文献】
【０００４】
【特許文献１】特許公開１９９８年第３２８００９号公報
【考案の概要】
【考案が解決しようとする課題】
【０００５】  しかしながら、箸置きが無い場合、一度箸を使用すると先端が汚れるため、食器のフチにかけて置いたり、菜箸であれば菜箸立てに立てかけておくために、菜箸立て自体のスペースが必要となり、更にはこれら箸置きや菜箸立ての使用後、洗浄するなどの手間などがあった。【０００６】  又、食器に箸の先端部や箸自体を乗せて保持しても、少しの振動等で転がり落ちて汚してしまうことが多かった。【０００７】  特許文献１のような菜箸は、頭部と中程部分を角柱、いわゆる四角形に一本の木や象牙などの材料から削りだして作製するため、大変なコストがかかり、更には転がりの防止効果は期待できても、油や調理食材で汚れた先端部が簡単にテーブルや調理台に触れてしまうため、テーブルや調理台、更には菜箸自体も汚してしまう欠点が有った。
【問題を解決するための手段】
【０００８】  本考案の箸保持具は、箸（４）において、食物をはさむ先端部（３）側と手で握る頭部（２）側との重量比が、先端部（３）側よりも頭部（２）側が大きくなる部分まで、穴（５）からはめ込んで使用する箸保持具（１）としたことを特徴とする。
【０００９】  更に、伸縮磨耗抵抗耐熱性のあるエラストマー又はゴム系材料から形成されていることを特徴とする。
【００１０】  又、外周形状が、四角形から成ることを特徴とする。
【考案の効果】
【００１１】  本考案の箸保持具は、箸（４）において、食物をはさむ先端部（３）側と手で握る頭部（２）側との重量比が、先端部（３）側よりも頭部（２）側が大きくなる部分まで、穴（５）からはめ込んで使用するため、箸置きも必要無くなり、更に菜箸においては、場所を取る菜箸立てが必要無くなるものとなる。
【００１２】  更に、その重量比から常に箸の先端部がテーブルや調理台から浮くため、テーブルや調理台、更には箸自体を汚すことのない優れたものとなる。
【００１３】  又、伸縮磨耗抵抗耐熱性のあるエラストマー又はゴム系材料から形成されるため、箸の断面が丸や四角などどんな形状でもその形に沿って密着して装着する事が出来、更に断熱性により箸に装着したまま食器洗浄器で洗浄することが出来るものとなる。もちろん外して洗浄してもよい。
【００１４】  又、外周形状が、四角形から成る形態の場合はテーブルや調理台の上で転がる事も少なく安定に保持出来るものとなる。
【図面の簡単な説明】
【００１５】
【図１】本考案の一実施例を示す斜視図である。
【図２】本考案の一実施例を示す斜視図である。
【図３】本考案の一実施例を示す斜視図である。
【考案を実施するための形態】
【００１６】  本考案における箸保持具の大きさ、デザイン、材質、製造方法は特に限定される事はないが、伸縮性、磨耗抵抗性、耐熱性、生産性、易加工性等からエラストマー成形されたものが好ましい。特にこのエラストマーに予め抗菌剤を含有させたものが清潔に使用出来る。
以下、実施例と図に基づき説明する。
【実施例】
【００１７】  以下、本考案の一実施例を図１、図２及び図３で説明するがこれによって本考案はなんら限定されるものではない。【００１８】  図１は本考案の一実施例を示し、一対の箸（４）においてエラストマー材料から成形された箸保持具（１）、（１’）が、食物をはさむ先端部（３）、（３’）と手で握る頭部（２）、（２’）の間に、ずれない様に密着して装着されている。【００１９】  図２は本考案の箸保持具（１）のうち外周形状が四角形としたものを示し、装着用の穴（５）が有り、この穴が保持具自体の伸縮性により、箸の断面の大きさ、形に沿って変形して密着するものとなる。【００２０】  図３は本考案の箸保持具（１）を先端部（３）側と頭部（２）側との重量比が先端部（３）側の比率（Ａ）よりも頭部（２）側の比率（Ｂ）が大きくなる部分まで穴（５）からはめ込んで使用している状態を示しており、テーブル（６）上に置くだけで、油や食材で汚れた先端部（３）が常に浮き上がり清潔な状態で保持出来る事を示している。
【産業上の利用の可能性】
【００２１】  食事中や調理中に箸や菜箸を少し置いておきたい時など、従来、著置きに置いたり、菜箸立てに置いていたが、場所を取る箸置きや菜箸立ての必要のない優れた保持具となる。
【００２２】  更に、その重量比から装着位置を考えて装着することで常に箸の先端部がテーブルや調理台から浮くため、テーブルや調理台、更には箸自体を汚すことのないものとなる。
【００２３】  又、伸縮磨耗抵抗耐熱性のあるエラストマー又はゴム系材料から形成されているため、穴が箸の形に応じてどんな形状でも箸に沿って密着出来るものとなり、更に耐熱性により箸に装着したまま食器洗浄器に用いても良いものとなる。
【００２４】  特に外周形状が、四角形から成る形態のものはテーブルや調理台の上で転がる事も少なく安定して箸を保持出来るものとなる。
【符号の説明】
【００２５】１  箸保持具    ２、２’  頭部    ３、３’  先端部    ４  箸    ５  穴
６  テーブル    Ａ  比率    Ｂ  比率
【図１】
0003153524.tif 000003
【図２】
0003153524.tif 000004
【図３】
0003153524.tif 000005
(57)【要約】      （修正有）【課題】トランプのカードに輸出入品目と貿易を行っている国の情報を表示し、貿易について学習する教材として利用できるトランプを提供する。【解決手段】トランプで遊びながら世界の貿易に関心を持ち、学力の向上が出来るように、トランプのカードに輸出入品目や貿易を行っている国の情報を表示して、学習教材となるトランプのカードを構成する。トランプの表面には、スペードのＡなど通常のトランプにあるマークや記号・数字と共に、上記に関する設問を記し、裏面にはその回答を記載する。【選択図】図５
0003153522.tif 000002
【実用新案登録請求の範囲】
【請求項１】
トランプのカードに輸出入品目や貿易を行っている国の情報を表示したトランプ。
【考案の詳細な説明】
【技術分野】
【０００１】この考察は、トランプのカードに輸出入品目や貿易を行っている国の情報を表示したトランプに関するものである。
【背景技術】
【０００２】従来、トランプのカードに輸出入品目や貿易を行っている国に関する情報は表示されておらず、トランプは貿易を学習する教材としては利用されていなかった。
【考案の概要】
【考案が解決しようとする課題】
【０００３】これは、次のような欠点があった。従来、トランプのカードに輸出入品目や貿易を行っている国の情報は表示されておらず、トランプは貿易を学習する教材としては利用されていなかった。本考察は、以上のような欠点をなくすためになされたものである。
【課題を解決するための手段】
【０００４】トランプのカードに輸出入品目や貿易を行っている国の情報を表示し、貿易について学習する教材としてトランプを利用できるようにする。
【考案の効果】
【０００５】トランプが貿易を学習する教材になり、遊びながら世界の貿易に関心を持ち、学力の向上が期待できる。
【図面の簡単な説明】
【０００６】
【図１】本考察の正面図である。
【図２】本考察の背面図である。背面図のカードには図１の正面図のカードに表示された設問の解答が表示されている。
【図３】本考察の右側面図である。右側面図は全て同一につき１枚のみあらわした。左側面図は右側面図と同一であるため省略してある。
【図４】本考察の平面図である。平面図は全て同一につき１枚のみあらわした。底面図は平面図と同一であるため省略してある。
【図５】本考察の正面図のうちスペードの１のカード正面を拡大した図である。
【図６】本考察の背面図のうちスペードの１のカード背面を拡大した図である。
【考案を実施するための形態】
【０００７】トランプのカードの正面に輸出入品目とそれに関わる設問を表示し、背面に貿易を行っている国を表示する。
【実施例】
【０００８】トランプのカードの正面に表示されている輸出入品目と設問を見て、その解答を考え、背面に表示されている国を見て正解を確認する。このように遊びながら貿易を学習する教材にする。
【産業上の利用可能性】
【０００９】トランプに表示された輸出入品目や貿易を行っている国との関係について学ぶ新しい遊び方の開発が可能になる。
【図１】
0003153522.tif 000003
【図２】
0003153522.tif 000004
【図３】
0003153522.tif 000005
【図４】
0003153522.tif 000006
【図５】
0003153522.tif 000007
【図６】
0003153522.tif 000008
(57)【要約】      （修正有）【課題】ビール等が、すぐに温まらないようにする簡易なパックを提供する。【解決手段】保冷剤を缶・ビン等の形状に合わせて筒状１，３に加工し、長さは、中身を注ぐときに邪魔にならないように、少し短くする。この加工した筒状体を、缶・ビン等２，４にかぶせることで、長時間温度を保つ事ができる。【選択図】図１
0003153525.tif 000002
【実用新案登録請求の範囲】
【請求項１】
保冷材を缶・ビン等の形状合わせて筒状に加工する、長さは、注ぐ時に邪魔にならないように少し短くする、缶・ビン等にかぶせるだけで、長時間温度を保つ事の出来る、簡単ヒエヒエパック。
【考案の詳細な説明】
【技術分野】
【０００１】  本考案は、ビール等が、すぐに暖まらないようにしたパックである。
【背景技術】
【０００２】  ビール等を飲むときに、すぐに暖まって美味しくなくなり、残ったものを捨てる事になるので、本考案を使用する事で、捨てることなく最後まで飲む事が出来る。
【考案が解決しようとする課題】
【０００３】  飲み物の温度が冷めたり、暖まったりする事で、最後まで美味しく飲む事が出来ず、捨てる事多く、不経済である。
【課題を解決するための手段】
【０００４】  本考案を使用する事で、飲み物の温度を長時間保つ事が出来、最後まで美味しく飲む事が出来る。
【考案の効果】
【０００５】  本考案により、飲み物を捨てることなく、最後まで飲む事で無駄をなくすと共に、環境に優しく、経済的である。
【考案を実施するための最良の形態】
【０００６】  本考案を、冷やしたものや、暖めたものにかぶせて、最後まで美味しく飲んでいただく。
【図面の簡単な説明】
【０００７】
【図１】本考案の、簡単ヒエヒエパックの図面である。
【符号の説明】
【０００８】  １  簡単ヒエヒエパック（カン用）
２  簡単ヒエヒエパック（カンにかぶせた状態）の平面図
３  簡単ヒエヒエパツク（ビン・ペットボトル用）
４  簡単ヒエヒエパット（ビン・ペットボトルにかぶせた状態）の平面図
【図１】
0003153525.tif 000003
(57)【要約】      （修正有）【課題】微少流量の液体を流路先端部において連続的に気化させ、同時に送風されるガス中の液体成分の量を計測する事により、構造が簡単で安価な微少流量測定装置を提供する。【解決手段】空気、窒素ガス等の乾燥気体を本体流入孔１に、本体２上部からシリコンセプタム９を介して、液体流入管３により液体を流入させ、流入菅先端部で液体を気化させるとともに、本体の下底には、濾紙、布等の吸収拡散膜５が設置されており、液体流入管の先端部を吸収拡散膜に接触させ気化を助け、流出孔より流出し、その後温度センサー、湿度センサー、炭化水素用センサー、アルコールセンサー等の各種センサー６を介した後、ガス流量検知管７を通過させるようにして液体の微小流量測定装置を構成する。【選択図】図１
0003153527.tif 000002
【実用新案登録請求の範囲】
【請求項１】
空気、窒素ガス等の乾燥気体を本体流入孔に導入させながら、本体液体流入管により液体を流入させて、液体を気化させるとともに、本体の下底には、濾紙、布等の吸収拡散膜が設置されており、液体流入管の先端部を吸収拡散膜に接触させ液体の気化を助け、本体の流出孔より流出し、その後温度センサー、湿度センサー、炭化水素用センサー、アルコールセンサー等の各種センサーを介した後、ガス流量検知管を通過させるようにした液体の微小流量測定装置。
【考案の詳細な説明】
【技術分野】
【０００１】  本考案は、液体の微小流量の測定装置に関するものである。さらに詳しくは１μｌ程度の微小流量を測定するための装置に関するものである。
【背景技術】
【０００２】  従来、液体の微小流量の測定装置では、キャピラリー管中に気泡を作り出して測定する装置や、液中に加熱部を設け、この加熱部をパルス的に実施し、その加熱された液体を流れ後方でワイヤーを用いて液の温度変化を測定する装置がある。これらの装置は測定に際しては何らの問題は無いが装置の構造複雑であり、これにより装置価格に影響を受けていた。
また、例えば、特開２００２−３９８１３号公報のように、水処理設備における液体凝集剤注入用の配管経路などに用いられ、液体移送ラインの流量異常を検知するための液体流量計があるが、この場合も構造が複雑であり、微小流量には不向きなものである。
【考案の開示】
【考案が解決しようとする課題】
【０００３】  本考案は、従来装置に鑑み案出されたものであり、構造が簡単で安価な装置を提供するためのものである。
【課題を解決するための手段】
【０００４】  本考案は、微小液を流路先端部において連続的に気化させ、同時に送風されるガス中の液体成分量を計測することにより、液流量を算出する手段からなる装置である。
【考案を実施するための形態】
【０００５】  図１に示すように装置Ａの空気、窒素ガス等の乾燥気体を流入孔１に、毎分２００ｍｌ流入させ、かつ本体２上部からシリコンセプタム９を介して、液体流入管３により液体を流入させ、液体を気化させる。本体Ａの下底には、濾紙、布等の吸収拡散膜５が設置されており、液体流入管３の先端部を吸収拡散膜５に接触させ蒸発をスムーズに実施できるようになっている。その後、流出孔４より流出し、その後温度センサー、湿度センサー、炭化水素用センサー、アルコールセンサー等の各種センサー６を介した後、ガス流量検知管７を通過させることにより測定される装置である。
この時、本体２内に流入された液体は蒸発し、一定流量で送られる。また、液体が水の場合は湿度センサーで水蒸気の割合を検知し、同時に併設した温度センサー、及びガス流量検知管７のデータ信号から蒸発した時間ごとの水分量が測定できる。すなわちこのことが流量計となるものである。
【０００６】  液体がエタノール水の場合は、温度センサー、湿度センサー、エタノールセンサー等の各種センサー６、ガス流量検知管７からエタノールの含量及びエタノール水の送液量が求められる。
アセトン水の場合は、温度センサー、湿度センサー、炭化水素センサー等の各種センサー６及びガス流量検知管７からアセトンの含有量及びアセトン水の送液量が求められる。
１００％エタノールの場合は、湿度センサー、アルコールセンサー等の各種センサー６及びガス流量検知管７から送液量が求められる。
【考案の効果】
【０００７】  流体流量が微小であっても、気化により体積は、約２００〜５００倍に増加する。例えば毎分１μｌであれば、毎分０．２〜０．５ｍｌのガス流量となる。また、同時に流出孔の先端部に送風するガス体を毎分１００ｍｌとすれば、液体成分のガス中での濃度は、０．２〜０．５％となる。この濃度であれば、半導体型のガスセンサーも含めて、現在のガスセンサーを用いて濃度検出が可能である。
すなわち微量液体流量を気化することにより、ガスセンサーを用いてその流量が計測可能となる。
本考案の装置は取扱う流量が毎分１００ｍｌ程度となり、極微の設計は必要なく、装置の構造設計が極めて容易なものとなる。
【図面の簡単な説明】
【０００８】
【図１】本考案による液体の微小流量測定装置の構成図である。
【符号の説明】  Ａ・・・装置
１・・・流入孔
２・・・本体
３・・・液体流入管
４・・・流出孔
５・・・吸収拡散膜
６・・・各種センサー
７・・・ガス流量検知管
８・・・蒸発する流体の様子
９・・・シリコンゴムセプタム
【図１】
0003153527.tif 000003
(57)【要約】      （修正有）【課題】手鏡を持った状態で両手を自由に使えることを可能にする指にはめられる手鏡を提供する。【解決手段】鏡を内蔵した木製、合成樹脂製の手鏡本体の背面側にリング状の合成樹脂又は皮製、布製の指バンド又はリングを設け、その指バンド又はリングに指を差し、手鏡本体を指に装着して固定する。【選択図】図１
0003153530.tif 000002
【実用新案登録請求の範囲】
【請求項１】
鏡２を内臓した木製，合成樹脂製の手鏡本体１の背面上部に指３を挿入する合成樹脂製又は皮製、布製のリング状の指バンド又はリング４を設け、リング状の指バンド又はリング４に親指以外の指３を通し、手鏡本体１を自由に動かし、両手が使えることを特徴とする指にはめられる手鏡。
【請求項２】
手鏡本体の背面上部に取付けたリング状の指バンド又リングは、下側に折り曲げ可能な請求項１記載の指にはめられる手鏡。
【考案の詳細な説明】
【技術分野】
【０００１】  本考案は、指にはめられる小型の手鏡に関するものである。
【背景技術】
【０００２】  従来、手鏡を持って、アイメイクやリップラインを引く等の化粧や、コンタクトレンズを直す際、従来の手鏡の場合は、手鏡を手で持つ為、片手だけでお化粧等は不便を感じる事があり、また、目の至近距離に手鏡を引き寄せながら、両手の指を使って化粧をすることができず不便だった。そこで、手首、指を動かすことで、鏡の位置を自由に移動させ、鏡を見ながら、両手の１０本の指を自由に使えることを可能にする手鏡がのぞまれた。
【考案の開示】
【考案の解決しようとする課題】
【０００３】  手鏡を使用して、化粧する時、コンタクトレンズを直す時等、色々な道具を使う。特に、アイメイクをしたり、視力の弱い人がコンタクトレンズを直す場合に、手鏡を目に引き寄せて、手鏡を覗きながら両手の指が自由に使える手鏡が必要であり、従って、指が自由に使える状態で、指に手鏡を装着し固定させることができることにより前述の欠点を解決しようとするものである。
【問題を解決するための手段】
【０００４】  本考案は、鏡２を内蔵した木製又は合成樹脂製の手鏡本体１の背面側着物の衿のような形の合成樹脂製、皮製、布製のリング状の指バンド又はリング４を設け、その指バンド又はリング４に指３を差し、手鏡本体１を指に装着して固定する。従って、手鏡本体１を指３に装着した状態で、５本の指を自由に使うことを可能にし、手鏡本体１を指３に装着しているので、手又は指を動かすだけで、装着している手鏡本体１の位置を、目の至近距離等、自由な位置に移動することを可能にし、指の大きい人，小さい人も自由に使える。従来手鏡本体１を持つと片手しか自由にならなかった欠点を解決している。
【考案の効果】
【０００５】  上述のようにした本考案の木製、合成樹脂製の手鏡本体は、手鏡本体の背面側に取り付けた合成樹脂製、皮製、布製の指バンド又はリングに指を通すという簡単な操作で着用ができ、鏡面が使用者の掌側にあって見易いという利点がある上に、安全な使用ができ、化粧が上手にできる等多くの優れた効果が期待できる。又、指にはめるため５本の指が全部使え、電車、バス、飛行機、自動車内、振動、ゆれも安心で落下防止にもなる。以上のように本考案は手鏡本体に指への装着を可能とした指バンド又はリングを設けたもので、製造が容易で且つ使用し易い小型の手鏡本体である。
【考案を実施するための最良の形態】
【０００６】本考案は、鏡を内蔵した手鏡本体の背面側の指バンドに指を差して止めることで、手鏡本体を指に装し固定する。従って、手鏡本体を指に装着した状態で、５本の指を自由に使うことを可能にし、手又は指を動かすだけで、装着している手鏡本体の位置を、目の至近距離等、自由な位置に移動することを可能にし、従来手鏡を持つと片手しか自由にならなかった欠点をなくしたものである。
【図面の簡単な説明】
【０００７】
【図１】本考案の実施正面図
【図２】本考案の正面図
【図３】本考案の左側断面図
【図４】本考案の他の実施例
【図５】本考案の他の実施例
【図６】本考案の他の実施例
【図７】本考案の他の正面図
【図８】本考案の他の右側面図
【図９】本考案の他の平面図
【図１０】本考案の指バンドを折りたたんだ右側面図
【図１１】本考案の折畳部拡大平面図
【符号の説明】
【０００８】  １  手鏡本体
２  鏡
３  指
４  指バンド又はリング
５  凸部
６  凹部
７  ピン
【図１】
0003153530.tif 000003
【図２】
0003153530.tif 000004
【図３】
0003153530.tif 000005
【図４】
0003153530.tif 000006
【図５】
0003153530.tif 000007
【図６】
0003153530.tif 000008
【図７】
0003153530.tif 000009
【図８】
0003153530.tif 000010
【図９】
0003153530.tif 000011
【図１０】
0003153530.tif 000012
【図１１】
0003153530.tif 000013
(57)【要約】      （修正有）【課題】バッグ使用後の廃棄物としての焼却処分も簡単で公害の発生が少なく、かつ耐久性に富み、開口部の閉め度合いを確実にして不用意に中身の出たりすることのないエコバッグを提供する。【解決手段】クラフト紙製の角底重袋で手提げ袋としての深さとした袋本体の開口縁の上端部を折込部とし、開口縁の対向する一縁或は両縁の折込部の内側或は外側の一方或は両方に帯状堅紙を貼り付け、この折込部の下縁に沿った袋本体の片側表面に紙バンドを貼り付けて該バンドの両端を袋本体の両側に延出させ、折込部は紙バンド方向に折り込み自在とすると共に紙バンドの両端部は結合自在とした。【選択図】図１
0003153577.tif 000002
【実用新案登録請求の範囲】
【請求項１】
クラフト紙製の角底重袋で手提げ袋としての深さとした袋本体の開口縁の上端部を折込部とし、開口縁の対向する一縁或は両縁の折込部の内側或は外側の一方或は両方に帯状堅紙を貼り付け、この折込部の下縁に沿った袋本体の片側表面に紙バンドを取り付けて該バンドの両端を袋本体の両側に延出させ、折込部は紙バンド方向に折り込み自在とすると共に紙バンドの両端部は結合自在としたクラフト紙製エコバック。
【考案の詳細な説明】
【技術分野】
【０００１】
本考案はクラフト紙製のエコバッグに関する。
【背景技術】
【０００２】
従来エコバックと称されるものは不織布、合成繊維布、合成樹脂布、紙製等などのものがあるが、前三者の物は破損とか汚れなどによって使用しなくなったときには廃棄物として焼却処分をするようになる。この廃棄物としての処理方法では公害の発生原因となる恐れがある等社会問題となっている。又単なる紙製の場合は強度的にも弱く使用目的が限定され、収納物が持ち運び途中などで零れ落ちるおそれなどの欠点がある。
【考案の概要】
【考案が解決しようとする課題】
【０００３】
そこで本考案では、バッグ使用後の廃棄物としての焼却処分も簡単で公害の発生が少なく、かつ耐久性に富み、開口部の閉め度合いを確実にして不用意に中身の出たりすることのないようにしようとするものである。
【課題を解決するための手段】
【０００４】
クラフト紙製の角底重袋で手提げ袋としての深さとした袋本体の開口縁の上端部を折込部とし、開口縁の対向する一縁或は両縁の折込部の内側或は外側の一方或は両方に帯状堅紙を貼り付け、この折込部の下縁に沿った袋本体の片側表面に紙バンドを貼り付けて該バンドの両端を袋本体の両側に延出させ、折込部は紙バンドの貼り付け方向に折り込み自在とすると共に紙バンドの両端部は結合自在としたクラフト紙製エコバックである。
【考案の効果】
【０００５】
本考案の効果として、バッグとしての使用後は廃棄物としての焼却処分も簡単で公害の発生が少なく、かつ耐久性に富み、開口部の閉め度合いを確実で不用意に中身の出たりすることがない。
【実施例】
【０００６】
図1に従って説明すると、クラフト紙を複数枚重ねて作った角底重袋で手提げ袋としての深さとした袋本体１の開口縁２，２’の上端部を折込部３とし、開口縁２，２’の両縁の折込部３，３の内側に帯状堅紙４，４を貼り付け、この折込部３，３の下縁に沿った袋本体１の片側表面に紙バンド５を補助紙６を介して貼り付けて該バンドの両端を袋本体の両側に延出させ、折込部３，３は紙バンド5の貼り付け方向に折り込み自在とすると共に紙バンド５の両側は結合自在としたものである。
【０００７】
図1においては帯状堅紙4は、折込部３、３の内側に貼り付けてあるが、帯状堅紙４は折込部3，3の外側でも良く、又帯状堅紙4は一方の折込部3の内側或は外側だけでもよい。帯状堅紙4は袋本体1を構成するクラフト紙よりも厚く堅いものがよい。紙バンド５の幅は持ち歩くのに便利なように比較的広幅のものが良い。
【０００８】
紙バンド５両端部の結合手段としては図３のように手結びでもよいが、図４のように紙バンド５の両端の夫々にオス、メスの結合バックルを取付て着脱自在に結合させてもよい。
【０００９】
本案は以上のように構成されるもので、袋本体１に荷物を詰め込み、その後開口縁２，２’を閉じるが、その閉じるに際しては折込部３，３を合わせて紙バンド５方向に折込み、帯状堅紙４を巻き込み、延出する紙バンド5の両端を持ちやすい位置まで手繰り寄せ両端を手結び、バックルなどの方法で結合させる。こうすることにより袋本体１内に多くの荷物が入り、袋本体1が外側に膨れようとしても（外側に引っ張ても）帯状堅紙4が抵抗して巻き込まれた折込部3、帯状堅紙４は解けることがなく開口部２，２は常に閉まった状態を維持し荷物（収納物）が不用意に外にこぼれ出ることがない。
【図面の簡単な説明】
【００１０】
【図１】本考案のクラフ紙製エコバック正面説明図。
【図２】折込部、帯状堅紙を折り込んだ状態の拡大断面説明図。
【図３】紙バンドの両端部を結んだ状態の斜視説明図。
【図４】紙バンドの両端部にオス、メスの結合バックルを設けて結合した状態の斜視説明図。
【符号の説明】
【００１１】
１：袋本体
２，2’：開口縁
３，３：折込部
４：帯状堅紙
５：紙バンド
【図１】
0003153577.tif 000003
【図２】
0003153577.tif 000004
【図３】
0003153577.tif 000005
【図４】
0003153577.tif 000006
(57)【要約】      （修正有）【課題】カップ１杯分のドリップコーヒーを、コーヒーポットを用いずに、手間をかけず安全に抽出できるドリップコーヒー抽出器を提供する。【解決手段】内部に空間を形成した木枠を縦方向に直角に交差させ、ほぞ組みにより糸巻き形状にしてスタンドとする手段と、スタンド上部に円形の穴を設け、漏斗を支持する手段と、スタンド下部にステージを設け、カップを支持する手段と、ドリップコーヒー抽出に、非樹脂製漏斗を利用する手段と、抽出液が漏斗下部誘導管を経て、カップに飛散せずスムーズに注ぎ込む手段と、から構成される。【選択図】図１
0003153571.tif 000002
【実用新案登録請求の範囲】
【請求項１】
ドリップコーヒー抽出液を直接カップに回収するようにした、木製糸巻き型コーヒー抽出器において、
内部に空間を形成した木枠を縦方向に直角に交差させ、ほぞ組みにより糸巻き形状にしてスタンドとする手段と、
前記スタンド上部に円形の穴を設け、漏斗を支持する手段と、
前記スタンド下部にステージを設け、カップを支持する手段と、
ドリップコーヒー抽出に、非樹脂製漏斗を利用する手段と、
抽出液が漏斗下部誘導管を経て、カップに飛散せずスムーズに注ぎ込む手段と、
から構成されたドリップコーヒー抽出器。
【考案の詳細な説明】
【技術分野】
【０００１】
本考案は、カップ１杯分のドリップコーヒーを、糸巻き型の木製スタンドとガラス製漏斗を用いて、効率的に抽出する装置に関する。
【背景技術】
【０００２】
従来のドリップコーヒー抽出装置は、ガラス・金属・セラミックス・化学合成樹脂などの、単体もしくは組み合わせで構成されていて、抽出液をポットに回収するものがほとんどで、本装置のように、木とガラスの組み合わせで、しかも直接カップに抽出液を回収する装置はない。
【考案の開示】
【考案が解決しようとする課題】
【０００３】
普及品のAS樹脂製ドリップ用漏斗の耐熱温度は90℃であるが、一般的には耐熱温度以上の沸騰した熱湯を用いる場合が多く、化学物質の溶出が心配される。
【０００４】
カップ１杯分のドリップコーヒーを抽出するために、コーヒーポットを用いるのでは手間がかかる。
【０００５】
従来のドリップコーヒー漏斗は、化学実験用漏斗と異なり、下部に管が存在しないため抽出液に滞りや飛び跳ねが生ずる。
【０００６】
環境問題に大きな関心が寄せられている現在において、木材の有効利用が不可欠であるのに、家庭用品や工芸的利用が一向に進んでいない。
【課題を解決するための手段】
【０００７】
耐熱ガラス製の漏斗を用いれば、沸騰した熱湯による化学物質の溶出は心配ない。
【０００８】
前記耐熱ガラス製漏斗を安全に支持でき、漏斗から落下する抽出液を、飛散する事無くカップに回収でき、その製作において無駄な材料を消費せずに、小型・軽量でデザインも良い木製スタンドを考案することにより、課題を解決した。
【考案の効果】
【０００９】
本考案によって、
（１）小量・数杯分のドリップコーヒーを抽出する場合、耐熱ガラス製漏斗を使用することにより、化学物質溶出の心配がなくなる。
（２）ポットを用いる手間が省ける。
（３）漏斗下部の下部誘導管によって、飛散せず滞り無しに抽出液を回収できる。
等の効果が得られる。
【００１０】
本装置の木製スタンド部は、木製家具材または木製建具の端材から製作することが可能であるため、天然資源である木材の有効利用に期待できる。
【考案を実施するための最良の形態】
【００１１】
図１は本考案装置の工程表示図であり、以下のステップを経てドリップコーヒーを抽出する。
扇形ペーパーフィルター２内部に、粉砕コーヒー適量９を入れたガラス製漏斗１を、木製糸巻き型スタンド５上部の漏斗用孔３に差し込んでセットし、前記木製糸巻き型スタンド５下部のステージ６上にコーヒーカップ７をセットし、ケトル８より熱湯を注ぎ入れれば、コーヒー抽出液が漏斗下部誘導管４を経て、抽出液の飛散や滞りなしにコーヒーカップ７に回収される。
【実施例】
【００１２】
本木製糸巻き型スタンド５の漏斗用孔３にガラス製漏斗１を、ステージ６にコーヒーカップ７をセットし、前記ガラス製漏斗１に扇形ペーパーフィルター２を納めて、粉砕済コーヒー９を約10g入れ抽出の準備を整え、ケトル８より少量の熱湯を粉砕済コーヒー９に注いで30秒ほど蒸らした後、熱湯約250ccを一気に注ぎ入れたところ、コーヒー抽出液は漏斗下部誘導管４に導かれ、飛散や滞りを起すことなく１杯分のドリップコーヒーをコーヒーカップ７に回収した。
【図面の簡単な説明】
【００１３】
【図１】本考案装置の工程表示図
【図２】本考案装置の平面図
【符号の説明】
【００１４】
１.ガラス製漏斗
２.扇形ペーパーフィルター
３.漏斗用孔
４.漏斗下部誘導管
５.木製糸巻き型スタンド
６.ステージ
７.コーヒーカップ
８.ケトル
９.粉砕済コーヒー
【図１】
0003153571.tif 000003
【図２】
0003153571.tif 000004
(57)【要約】      （修正有）【課題】主に大型船舶の高速・高圧水流後方吐出型の推進装置を提供する。【解決手段】船の進行方向と同一方向に回転し、効率良く高速・高圧の回転水流を発生させるプロペラと、この回転水流とプロペラを覆うカタツムリ型カバーを主な構成要素としている。船舶の進行方向に垂直な従来のスクリュー型と異なり、船舶の進行方向と同一の方向に回転するプロペラをカタツムリ型のカバーで覆い、このカバー内に、高速・高圧の回転水流を発生させ、この回転水流の遠心力により、効率良く強い推進力の高速・高圧の直線水流を船舶の後方に吐出することによる。【選択図】図１
0003153511.tif 000002
【実用新案登録請求の範囲】
【請求項１】
高速・高圧の回転水流（５）を起こすためのプロペラ（１０）と、
前記高速・高圧の回転水流（５）と前記プロペラ（１０）とを覆うカタツムリ型カバー（４）と、
当該カタツムリ型カバー（４）内に海水を吸い込む取水口（８）と、
推進用の高速・高圧水流（７）を船の後方に吐出する吐出口（６）とを有することを特徴とする高速船舶のカタツムリ型推進装置
【考案の詳細な説明】
【技術分野】
【０００１】本考案は高速船舶用の高速・高圧水流後方吐出型推進装置に関する。
【背景技術】
【０００２】従来の高速船舶の高速・高圧水流後方吐出型推進装置にはウオーター・ジェット推進装置等があるが、大型の船舶には推力が充分でなかった。
【考案の開示】
【考案が解決しようとする課題】
【０００３】解決しようとする問題点は、高速・高圧水流後方吐出型推進装置であって、しかも、大型船舶にも使用可能な強い推力の推進装置を提供することである。
【課題を解決するための手段】
【０００４】船舶の進行方向に垂直な従来のスクリュー型と異なり、船舶の進行方向と同一の方向に回転するプロペラをカタツムリ型のカバーで覆い、このカバー内に、高速・高圧の回転水流を発生させ、この回転水流の遠心力により、効率良く強い推進力の高速・高圧の直線水流を船舶の後方に吐出することによる。
【考案の効果】
【０００５】強い推進力の高速・高圧水流後方吐出型推進装置を、大型船の推進装置として提供可能となる。
【考案を実施するための最良の形態】
【０００６】カタツムリ型カバー内のプロペラの先を、外延部に向かって回転方向と反対方向に滑らかに腕曲させる。
【実施例】
【０００７】本考案の好ましい実施例を述べる。
［図２］において、船体（１１）内のエンジンよりの軸（１）を通して、エンジンに直結した歯車（２）と噛み合うスクリューに直結した歯車（３）により、回転水流を起こすプロペラ（１０）に接続されている。
この回転水流を起こすプロペラ（１０）はカタツムリ型カバー（４）に覆われている。
以上の構成に於いて、エンジンに直結した歯車（２）が回転すると、スクリューに直結した歯車（３）を通して回転水流を起こすためのプロペラ（１０）が高速で矢印の方向に回転する。これにより、カバー内の高速・高圧の回転水流（５）が発生する。プロペラ（１０）は回転方向と反対に腕曲しているので、回転水流（５）はカタツムリ型カバー（４）の外側へ押しやられる。吐出口（６）から推進用の高速・高圧の水流（７）が吐出され、強い推進力が得られる。
尚、カタツムリ型カバー（４）内への海水の供給は、羽（１２）の付いた取水口（８）から行われる。
【図面の簡単な説明】
【０００８】
【図１】は船体とカタツムリ型推進装置との位置関係を示す概念図である。
【図２】はカタツムリ型推進装置の横断面図である。
【図３】はカタツムリ型推進装置の正面断面図である
【符号の説明】
【０００９】（１）はエンジンよりの回転軸である。
（２）はエンジンに直結した歯車である
（３）はスクリューに直結した歯車である
（４）はカタツムリ型カバーである。
（５）はカバー内の高速・高圧の回転水流である。
（６）は吐出口である。
（７）は推進用の高速・高圧水流である。
（８）は羽付きの取水口である。
（９）は海水面である。
（１０）は高速・高圧の回転水流を起こすためのプロペラである。
（１１）は船舶の船体である。
（１２）は羽である。
【図１】
0003153511.tif 000003
【図２】
0003153511.tif 000004
【図３】
0003153511.tif 000005
(57)【要約】      （修正有）【課題】スポーツでなどで利用されるアウター着としてのレギンスやスパッツなどのパンツとスカートを一体化することにより、スカートのずれを無くし、パンツの機能性を損なうことなくファッション性に優れた下衣を提供する。【解決手段】ウエスト部分がストレッチ素材で形成された伸縮可能なパンツ１のウエスト部１ａの上縁部にスカート２のウエスト縫合部２ａを縫合し、ストレッチ素材で形成された伸縮可能なウエストベルト生地をパンツ１のウエスト部１ａの上縁部に合わせスカート縫合部の外周囲に覆って縫着することにより一体形成する。【選択図】図２
0003153519.tif 000002
【実用新案登録請求の範囲】
【請求項１】
ストレッチ素材で形成された伸縮可能なパンツのウエスト上縁部にスカートを縫合することによるスカートのずれを無くした構造と、パンツの機能性を保持した構造に特徴を有するスカート付きパンツ。
【請求項２】
ストレッチ素材で形成された伸縮可能なウエストベルト生地をスカート縫合部の外周囲を覆って縫着することによる一体形成を高める構造と、ファッション性を高める構造に特徴を有する請求項１記載のスカート付きパンツ。
【考案の詳細な説明】
【技術分野】
【０００１】本考案は、アウター着として利用されるレギンスやスパッツなどのパンツとスカートを一体化したスカート付きパンツに関するものである。
【背景技術】
【０００２】従来、レギンスやスパッツなどに代表されるアウター着としてのパンツは、近年スポーツなどで多く利用され、保温性にくわえ運動機能性など機能面での向上を目的とした素材の研究や製品化が進められている。【０００３】下記特許文献１のスパッツは、運動時における着用フィット性を高め、パワーアップや疲労回復効果に優れたウエアとしての機能を実現している。【０００４】また、スカートに関しては従来公知の下衣としての機能に加え、ファッション性を重視したデザインおよび素材の研究や製品化が進めらいる。【０００５】上記、パンツとスカートは、ファッション性を重視するスケートなどのスポーツにおいて体のラインを隠す目的とファッション性を高める目的で共に利用されることが多く、この場合パンツの上にスカートを重ねて着る方法がとられている。【０００６】しかながら、スポーツする際にファッションとしてのスカートを上記パンツの上に重ねて着た場合、スカートが上下にずれたり回ったりなどして運動性そのものを阻害することとなる。
【先行技術文献】
【特許文献】
【０００７】
【特許文献１】特開平１１−９３００３号公報
【考案の概要】
【考案が解決しようとする課題】
【０００８】本考案は、スポーツでなどで利用されるアウター着としてのレギンスやスパッツなどのパンツとスカートを一体化することにより、スカートのずれを無くし、パンツの機能性を損なうことなくファッション性に優れた下衣を提供する事を目的としている。
【課題を解決するための手段】
【０００９】上記目的を達成するために、本考案はストレッチ素材で形成された伸縮可能なパンツのウエスト上縁部にスカートを縫合し、ストレッチ素材で形成された伸縮可能なウエストベルト生地をスカート縫合部の外周囲を覆って縫着することにより一体形成をなすものある。
【考案の効果】
【００１０】本考案によるスカート付きパンツは、パンツの機能性を損なうことなく、スカートとパンツを違和感なく一体形成することによりファッション性に優れた下衣を提供することができる。このことによりスポーツのみならず比較的に活動的でおしゃれ着としての利用も期待できる。
【図面の簡単な説明】
【００１１】
【図１】本考案の一実施例を示すスカート付きパンツの要部斜視図である。
【図２】同実施例のパンツとスカートの縫合を示す図である。
【図３】同実施例のパンツにウエストベルト生地の縫着を示す図である。
【考案を実施するための形態】
【００１２】以下、本考案の実施の形態を図面ならびに実施例に基づいて説明する。
【実施例】
【００１３】ウエスト部分がストレッチ素材で形成された伸縮可能なパンツ１のウエスト部１ａの上縁部にスカート２のウエスト縫合部２ａを縫合し、ストレッチ素材で形成された伸縮可能なウエストベルト生地３をパンツ１のウエスト部１ａの上縁部に合わせスカート縫合部の外周囲に覆って縫着することにより一体形成する。【００１４】スカート２の生地は必ずしもパンツ１と同一素材の必要はなく、スカート２の生地が伸縮性のない素材の場合、パンツ１をウエストサイズまで広げてパンツ１のウエスト部１ａの上縁部にスカート２のウエスト縫合部２ａを縫合する。【００１５】ウエストベルト生地３についても必ずしもパンツ１と同一素材の必要はなく、パンツ１のウエスト部１ａの上縁部に合わせスカート縫合部の外周囲に覆って縫着する。また、スカート２の生地が伸縮可能な素材の場合、ウエストベルト生地３の下縁部も縫着することにより下衣としての一体形成を高めることができる。
【産業上の利用可能性】
【００１６】以上詳記したように本考案によるスカート付きパンツは、パンツの機能性を損なうことなくスカートとパンツを一体形成することが可能で、スカートおよびウエストベルトの生地の組み合わせによりファッション性に優れた下衣として提供可能である。このためスポーツ産業分野ので利用のみならず一般着としての利用による下衣産業分野全般での利用が期待できる。
【符号の説明】
【００１７】１    パンツ
１ａ  パンツのウエスト部
２    スカート
２ａ  スカートのウエスト縫合部
３    ウエストベルト生地
【図１】
0003153519.tif 000003
【図２】
0003153519.tif 000004
【図３】
0003153519.tif 000005
(57)【要約】      （修正有）【課題】元素記号と周期表を学習する事に利用できるトランプのカードを提供する。【解決手段】トランプで遊びながら元素記号に慣れ親しみ、学力の向上が出来るように、トランプの表面には、スペードのＡなど通常のトランプにあるマークや記号・数字以外に元素記号や元素名、原子番号など周期表に関連する情報を記載し、裏面には周期表を記載して学習教材となるトランプのカードを構成する。このカードを周期律に従って並べ替え、周期表を完成させて遊ぶ。【選択図】図１
0003153512.tif 000002
【実用新案登録請求の範囲】
【請求項１】
トランプのカードに元素記号や周期表の情報を表示したトランプ。
【考案の詳細な説明】
【技術分野】
【０００１】この発明は、トランプのカードに元素記号を表示したトランプに関するものである。
【背景技術】
【０００２】従来、トランプのカードに元素記号は表示されておらず、トランプは元素記号を学習する教材としては利用されていなかった。
【考案の概要】
【考案が解決しようとする課題】
【０００３】これは、次のような欠点があった。従来、トランプのカードに元素記号は表示されておらず、トランプは元素記号を学習する教材としては利用されていなかった。
本発明は、以上のような欠点をなくすためになされたものである。
【課題を解決するための手段】
【０００４】トランプのカードに元素記号を表示し、トランプを元素記号学習の教材として利用できるようにする。
【考案の効果】
【０００５】トランプが元素記号を学習する教材になり、遊びながら元素記号に慣れ親しみ、学力の向上が期待できる。
【図面の簡単な説明】
【０００６】
【図１】本発明の正面図である。
【図２】本発明の背面図である。背面図は全て同一につき１枚のみあらわした。
【図３】本発明の右側面図である。右側面図は全て同一につき１枚のみあらわした。左側面図は右側面図と同一であるため省略してある。
【図４】本発明の平面図である。平面図は全て同一につき１枚のみあらわした。底面図は平面図と同一であるため省略してある。
【図５】本発明を周期表の形態に並べた正面図である。
【図６】本発明の背面図の拡大図である。
【考案を実施するための形態】
【０００７】トランプのカードに元素記号を表示する。元素記号に関連する原子番号や周期表に関する情報も表示する。カードを並べると周期表になる。カード背面に周期表を表示した。
【実施例】
【０００８】図５のように、トランプを並べると周期表となり、遊びながら元素記号を学習する教材にする。
【産業上の利用可能性】
【０００９】トランプに表示された元素記号を覚える新しい遊び方の開発が可能になる。
【図１】
0003153512.tif 000003
【図２】
0003153512.tif 000004
【図３】
0003153512.tif 000005
【図４】
0003153512.tif 000006
【図５】
0003153512.tif 000007
【図６】
0003153512.tif 000008